【事件の表示】
　平成１１年商標登録願第２９０６４号拒絶査定不服審判事件について、次のとおり審決する。
【結　論】
　原査定を取り消す。
　本願商標は、登録すべきものとする。
【理　由】
１　本願商標
　本願商標は、別掲のとおりの構成よりなり、第５類、第９類、第１０類、第１６類、第３７類、第３８類及び第４２類に属する願書記載のとおりの商品及び役務を指定商品及び指定役務として、平成１１年４月２日に登録出願され、指定商品及び指定役務については、その後、原審及び当審において５度の手続補正書をもって補正され、さらに、同１６年２月１７日受付の手続補正書をもって、以下のとおり補正されたものである。
第５類
「薬剤，歯科用材料，医療用油紙，衛生マスク，オブラート，ガーゼ，カプセル，眼帯，耳帯，生理帯，生理用タンポン，生理用ナプキン，生理用パンティ，脱脂綿，ばんそうこう，包帯，包帯液，胸当てパッド，おりものシート，創傷保護被覆用シート，医療用テープ，医療用ドレッシング，医療用粘着テープ，水虫治療用パッド，清浄綿，綿球，医療用腕環，検査診断薬，失禁用おしめ，失禁用おしめ固定用パンツ，失禁用おむつカバー，人工受精用精液，乳児用粉乳，乳糖，はえ取り紙，害虫とり粘着テープ，害虫とり粘着紙，害虫とり粘着板，防虫紙，抗生物質製剤，医療用ガス，医療用診断剤，医療用接着剤，コンタクトレンズ用洗浄剤，医療用スメリングソルト，食餌療法用飲料，食餌療法用食品，乳児用粉乳」
第９類
「理化学機械器具，測定機械器具，配電用又は制御用の機械器具，回転変流機，調相機，電池，電気磁気測定器，電線及びケーブル，写真機械器具，映画機械器具，光学機械器具，眼鏡，加工ガラス（建築用のものを除く。），救命用具，電気通信機械器具，レコード，メトロノーム，電子応用機械器具及びその部品，オゾン発生器，電解槽，電気メッキ装置及びその他の電子応用防錆装置，ロケット，遊園地用機械器具，ゴルフ練習用ティーアップ装置，業務用占いゲーム機，ピッチングマシーン，業務用ゲーム機，業務用テレビゲーム機のプログラムを記憶させた電子回路・磁気テープ・磁気ディスク・ＲＯＭカートリッジ・磁気カード・光ディスク・回路基板・配線基板，業務用ビデオゲーム機，業務用ピンボールゲーム機，業務用磁気カード式ゲーム機，業務用遊戯ロボット，業務用景品捕獲ゲーム機，硬貨投入式業務用ゲーム機，スロットマシン，運動技能訓練用シミュレーター，乗物運転技能訓練用シミュレーター，電気アイロン，電気式ヘアカーラー，電気ブザー，鉄道用信号機，道路工事現場用標識燈，乗物の故障の警告用の三角標識，発光式又は機械式の道路標識，火災報知機，ガス漏れ警報器，盗難警報器，ガスもれ検知器，火災警報用炎感知器，火災警報用煙感知器，生産ライン用発光式警報器，都市ガス用ガス漏れ警報器，盗難防止警報装置，防犯警報装置，事故防護用手袋，事故防止用身体保護用パッド，事故防護用脚はん，事故防護用耐熱手袋，火災用保護靴，消火器，消火栓，消火ホース用ノズル，スプリンクラー消火装置，消火ホース格納箱，消火器設置用金属製ケース，消火器用カバー，消防艇，消防車，自動車用シガーライター，保安用ヘルメット，自転車用ヘルメット，自動車レース用ヘルメット，自動車用ヘルメット，乗車用ヘルメット，耐熱用ヘルメット，二輪自動車用ヘルメット，防火用ヘルメット，防火被服，耐熱被服，防煙マスク，防火マスク，防毒被服，防じんマスク，防毒マスク，溶接マスク，耐熱マスク，磁心，抵抗線，電極，映写フィルム，スライドフィルム，スライドフィルム用マウント，録画済みビデオディスク及びビデオテープ，雑誌・書籍・新聞・地図及び図面の画像・文字情報を記憶させた磁気ディスク・光ディスク・光磁気ディスク・ＣＤ−ＲＯＭ及び磁気テープ，写真・絵画等の画像データ（動画・静止画の両者を含む。）を記録させた磁気ディスク・光ディスク・光磁気ディスク・ＣＤ−ＲＯＭ及び磁気テープ，ガソリンステーション用装置，自動販売機，おみくじ・お札・占いに関する物品の自動販売機，業務用ゲーム機用コイン貸機，業務用ゲーム機用メダル貸機，パチンコ玉の補給回収循環装置，パチンコ玉貸機，パチンコ用自動玉貸機，プリペイドカード発行機，営業用自動車に設置して容器入り飲料を販売する自動販売機，会員カード自動発行機，硬貨投入式写真シール自動作成機，自動券売機，新聞自動販売機，駐車場用硬貨作動式ゲート，金銭登録機，硬貨の計数用又は選別用の機械，作業記録機，写真複写機，手動計算機，製図用又は図案用の機械器具，タイムスタンプ，タイムレコーダー，電気計算機，パンチカードシステム機械，票数計算機，ビリングマシン，郵便切手のはり付けチェック装置，ゲームメダルの枚数計数機，パチンコ玉およびメダルの個数計算機，パチンコ玉の補給・集球循環装置，自動販売機用偽紙幣鑑別機及びその他の偽紙幣鑑別機，現金自動支払機，現金自動預金支払機，硬貨の計数用機械，紙幣・硬貨両替機，紙幣入出金機，自動改札機，自動金銭出納機，受付番号カード発行機，受付番号券発行機，精算機，計算尺，ウエイトベルト，ウェットスーツ，浮袋，エアタンク，水泳用浮き板，レギュレーター，潜水用機械器具，アーク溶接機，金属溶断機，電気溶接装置，メッキ装置，家庭用テレビゲームおもちゃ，家庭用テレビゲームプログラムを記憶させた電子回路・磁気テープ・磁気ディスク・ＲＯＭカートリッジ・磁気カード・光ディスク・回路基板・配線基板，検卵器，電動式扉自動開閉装置，電気式錠，磁針，永久磁石，標識用ブイ，二輪自動車用シガーライター」
第１０類
「医療用機械器具，氷まくら，三角きん，支持包帯，手術用キャットガット，吸い飲み，スポイト，乳首，氷のう，氷のうつり，ほ乳用具，魔法ほ乳器，綿棒，指サック，おしゃぶり，手術用無菌シーツ，歯がため，失禁用シーツ，手術用縫合糸，水まくら，母乳搾り器，避妊用具，人工鼓膜用材料，補綴充てん用材料（歯科用のものを除く。），耳栓，医療用手袋，医療従事者用マスク，家庭用電気マッサージ器，しびん，病人用便器，耳かき，医療用舌擦過器」
第１６類
「紙類，紙製包装用容器，家庭用食品包装フィルム，紙製ごみ収集用袋，プラスチック製ごみ収集用袋，コーヒー抽出用ペーパーフィルター，食品包装用プラスチック製袋，プラスチックフィルム製ゴミ収集水切り袋，合成樹脂製ゴミ袋，紙製コースター，紙製コーヒーフィルター，台所用ゴミ収集水切り袋，電子レンジ調理用袋，衛生手ふき，紙製タオル，紙製テーブルナプキン，紙製手ふき，紙製ハンカチ，型紙，裁縫用チャコ，紙製テーブルクロス，紙製ブラインド，紙製テーブルマット，紙製のぼり，紙製旗，紙製幼児用おしめ，紙製よだれ掛け，紙製乳児用おしめ，荷札，印刷物，書画，写真，写真立て，遊戯用カード，文房具類，事務用又は家庭用ののり及び接着剤，青写真複写機，あて名印刷機，印字用インクリボン，こんにゃく版複写機，自動印紙はり付け機，事務用電動式ホッチキス，事務用封かん機，消印機，製図用具，タイプライター，チェックライター，謄写版，凸版複写機，文書細断機，郵便料金計器，輪転謄写機，コピー機用インクリボン，コピー機用インクリボンカセット，コンピュータプリンタ用インクリボン，コンピュータプリンタ用インクリボンカセット，テープ印字機，バーコードプリンタ用インクリボン，ハンドラベラー，ビデオプリンタ用インクリボン，ビデオプリンタ用インクリボンカセット，ファクシミリ用インクリボン，ファクシミリ用インクリボンカセット，ラベル印字貼着機，ラベル印字用インクリボン，印紙税納付計器，穴あけ・とじ込み機構付き事務用小型製本機，事務用ラミネータ，事務用製本機，印刷用インテル，活字，装飾塗工用ブラシ，ペンキ用ローラー，封ろう，マーキング用孔開型板，観賞魚用水槽及びその附属品，電気鉛筆削り機，製本用クロス，製本用ひも，プラスチック製包装用袋，プラスチック製包装シート，プラスチック製気泡状包装材料，包装用プラスチックフィルム，紙製又はプラスチック製の包装袋，化粧落とし用紙ナプキン」
第３７類
「建築一式工事，しゅんせつ工事，土木一式工事，舗装工事，石工事，ガラス工事，鋼構造物工事，左官工事，大工工事，タイル・れんが又はブロックの工事，建具工事，鉄筋工事，塗装工事，とび・土工又はコンクリートの工事，内装仕上工事，板金工事，防水工事，屋根工事，管工事，機械器具設備工事，さく井工事，電気工事，電気通信工事，熱絶縁工事，建築設備の運転，船舶の建造，船舶の修理又は整備，航空機の修理又は整備，自転車の修理，自動車の修理又は整備，鉄道車両の修理又は整備，二輪自動車の修理又は整備，育雛器の修理又は保守，ふ卵器の修理又は保守，医療用機械器具の修理又は保守，印刷用又は製本用の機械器具の修理又は保守，映写機の修理又は保守，写真機械器具の修理又は保守，エレベーターの修理又は保守，化学機械器具の修理又は保守，火災報知機の修理又は保守，ガソリンステーション用装置の修理又は保守，ガラス器製造機械の修理又は保守，機械式駐車装置の修理又は保守，牛乳ろ過器の修理又は保守，搾乳機の修理又は保守，業務用食器洗浄機の修理又は保守，業務用電気洗濯機の修理又は保守，漁業用機械器具の修理又は保守，金属加工機械器具の修理又は保守，靴製造機械器具の修理又は保守，耕うん機械器具（手持ち工具に当たるものを除く。）の修理又は保守，栽培機械器具の修理又は保守，収穫機械器具の修理又は保守，植物粗製繊維加工機械器具の修理又は保守，飼料圧搾機の修理又は保守，飼料裁断機の修理又は保守，飼料配合機の修理又は保守，飼料粉砕機の修理又は保守，工業用炉の修理又は保守，鉱山機械器具の修理又は保守，ゴム製品製造機械器具の修理又は保守，蚕種製造用又は養蚕用の機械器具の修理又は保守，自動販売機の修理又は保守，銃砲の修理又は保守，浄水装置の修理又は保守，照明用器具の修理又は保守，食料加工用又は飲料加工用の機械器具の修理又は保守，事務用機械器具の修理又は保守，製材用・木工用又は合板用の機械器具の修理又は保守，繊維機械器具の修理又は保守，潜水用機械器具の修理又は保守，測定機械器具の修理又は保守，たばこ製造機械の修理又は保守，暖冷房装置の修理又は保守，バーナーの修理又は保守，ボイラーの修理又は保守，ポンプの修理又は保守，冷凍機械器具の修理又は保守，貯蔵槽類の修理又は保守，電気通信機械器具の修理又は保守，電子計算機（中央処理装置及び電子計算機用プログラムを記憶させた電子回路・磁気ディスクその他の周辺機器を含む。）の修理又は保守，電動機の修理又は保守，配電用又は制御用の機械器具の修理又は保守，発電機の修理又は保守，塗装機械器具の修理又は保守，土木機械器具の修理又は保守，乗物用洗浄機の修理又は保守，廃棄物圧縮装置の修理又は保守，廃棄物破砕装置の修理又は保守，パルプ製造用・製紙用又は紙工用の機械器具の修理又は保守，半導体製造装置の修理又は保守，美容院用又は理髪店用の機械器具の修理又は保守，プラスチック加工機械器具の修理又は保守，包装用機械器具の修理又は保守，ミシンの修理又は保守，民生用電気機械器具の修理又は保守，遊園地用機械器具の修理又は保守，理化学機械器具の修理又は保守，運動用具の修理，おもちゃ又は人形の修理，家具の修理，傘の修理，ガス湯沸かし器の修理又は保守，加熱器の修理又は保守，なべ類の修理又は保守，楽器の修理又は保守，かばん類又は袋物の修理，金庫の修理又は保守，靴の修理，錠前の取付け又は修理，洗浄機能付き便座の修理，釣り具の修理，時計の修理又は保守，はさみ研ぎ及びほうちょう研ぎ，ビリヤード用具の修理，遊技用器具の修理，身飾品の修理，眼鏡の修理，浴槽類の修理又は保守，毛皮製品の手入れ又は修理，洗濯，被服のプレス，畳類の修理，被服の修理，布団綿の打直し，煙突の清掃，建築物の外壁の清掃，窓の清掃，床敷物の清掃，床磨き，し尿処理槽の清掃，貯蔵槽類の清掃，道路の清掃，浴槽又は浴槽がまの清掃，電話機の消毒，有害動物の防除（農業・園芸又は林業に関するものを除く。），洗車機の貸与，電気洗濯機の貸与，土木機械器具の貸与，床洗浄機の貸与，モップの貸与」
第３８類
「移動体電話による通信，テレックスによる通信，電子計算機端末による通信，電報による通信，電話による通信，ファクシミリによる通信，無線呼出し，テレビジョン放送，有線テレビジョン放送，ラジオ放送，報道をする者に対するニュースの供給，電話機・ファクシミリその他の通信機器の貸与」
第４２類
「宿泊施設の提供及びこれに関する情報の提供並びにこれらの媒介又は取次ぎ，宿泊施設の提供の契約の媒介又は取次ぎ，飲食物の提供及びこれに関する情報の提供並びにこれらの媒介又は取次ぎ，会食のための施設の提供及びこれに関する情報の提供並びにこれらの媒介又は取次ぎ，美容及びこれに関する情報の提供並びにこれらの媒介又は取次ぎ，理容及びこれに関する情報の提供並びにこれらの媒介又は取次ぎ，入浴施設の提供及びこれに関する情報の提供並びにこれらの媒介又は取次ぎ，写真の撮影及びこれに関する情報の提供並びにこれらの媒介又は取次ぎ，オフセット印刷，グラビア印刷，スクリーン印刷，石版印刷，凸版印刷，オフセット印刷・グラビア印刷・スクリーン印刷・石版印刷・凸版印刷に関する情報の提供並びにこれらの媒介又は取次ぎ，気象情報の提供及びこれに関する情報の提供並びにこれらの媒介又は取次ぎ，求人情報の提供及びこれに関する情報の提供並びにこれらの媒介又は取次ぎ，結婚又は交際を希望する者への異性の紹介及びこれに関する情報の提供並びにこれらの媒介又は取次ぎ，婚礼（結婚披露を含む。）のための施設の提供及びこれに関する情報の提供並びにこれらの媒介又は取次ぎ，葬儀の執行及びこれに関する情報の提供並びにこれらの媒介又は取次ぎ，墓地又は納骨堂の提供及びこれに関する情報の提供並びにこれらの媒介又は取次ぎ，一般廃棄物の収集・分別及びこれに関する情報の提供並びにこれらの媒介又は取次ぎ，産業廃棄物の収集・分別及びこれに関する情報の提供並びにこれらの媒介又は取次ぎ，庭園又は花壇の手入れ及びこれに関する情報の提供並びにこれらの媒介又は取次ぎ，庭園樹の植樹及びこれに関する情報の提供並びにこれらの媒介又は取次ぎ，肥料の散布及びこれに関する情報の提供並びにこれらの媒介又は取次ぎ，雑草の防除及びこれに関する情報の提供並びにこれらの媒介又は取次ぎ，有害動物の防除（農業・園芸又は林業に関するものに限る。）及びこれに関する情報の提供並びにこれらの媒介又は取次ぎ，機械・装置若しくは器具（これらの部品を含む。）又はこれらにより構成される設備の設計及びこれに関する情報の提供並びにこれらの媒介又は取次ぎ，建築物の設計，測量，建築物の設計・測量に関する情報の提供並びにこれらの媒介又は取次ぎ，地質の調査及びこれに関する情報の提供並びにこれらの媒介又は取次ぎ，デザインの考案及びこれに関する情報の提供並びにこれらの媒介又は取次ぎ，電子計算機・自動車その他その用途に応じて的確な操作をするためには高度の専門的な知識・技術又は経験を必要とする機械の性能・操作方法等に関する紹介・説明及びこれに関する情報の提供並びにこれらの媒介又は取次ぎ，電子計算機のプログラムの設計・作成又は保守及びこれに関する情報の提供並びにこれらの媒介又は取次ぎ，医薬品・化粧品又は食品の試験・検査又は研究及びこれに関する情報の提供並びにこれらの媒介又は取次ぎ，機械器具に関する試験又は研究及びこれに関する情報の提供並びにこれらの媒介又は取次ぎ，建築又は都市計画に関する研究，公害の防止に関する試験又は研究，電気に関する試験又は研究，土木に関する試験又は研究，建築又は都市計画に関する研究・公害の防止に関する試験又は研究・電気に関する試験又は研究及び土木に関する試験又は研究に関する情報の提供並びにこれらの媒介又は取次ぎ，農業・畜産又は水産に関する試験・検査・研究及びこれらに関する情報の提供並びにこれらの媒介又は取次ぎ，著作権の利用に関する契約の代理又は媒介に関する情報の提供並びに著作権の利用に関する契約の代理又は媒介に関する情報の提供の媒介又は取次ぎ，通訳，翻訳，通訳及び翻訳に関する情報の提供並びにこれらの媒介又は取次ぎ，施設の警備，身辺の警備，施設の警備及び身辺の警備に関する情報の提供並びにこれらの媒介又は取次ぎ，個人の身元又は行動に関する調査及びこれに関する情報の提供並びにこれらの媒介又は取次ぎ，あん摩・マッサージ及び指圧，きゅう，柔道整復，はり，あん摩・マッサージ・指圧・きゅう・柔道整復及びはりに関する情報の提供並びにこれらの媒介又は取次ぎ，医業，医療情報の提供，健康診断，歯科医業，調剤，医業・健康診断・歯科医業及び調剤に関する情報の提供並びにこれらの媒介又は取次ぎ，栄養の指導，家畜の診療及びこれに関する情報の提供並びにこれらの媒介又は取次ぎ，保育所における乳幼児の保育及びこれに関する情報の提供並びにこれらの媒介又は取次ぎ，老人の介護及びこれに関する情報の提供並びにこれらの媒介又は取次ぎ，編み機の貸与，ミシンの貸与，編み機の貸与及びミシンの貸与に関する情報の提供並びにこれらの媒介又は取次ぎ，衣服の貸与・下着類の貸与及びこれらに関する情報の提供並びにこれらの媒介又は取次ぎ，木・草・苗・苗木・花・ドライフラワー・人工樹木・造花・盆栽・植木の貸与及びこれらに関する情報の提供並びにこれらの媒介又は取次ぎ，カーテンの貸与，家具の貸与，壁掛けの貸与，敷物の貸与，カーテンの貸与・家具の貸与・壁掛けの貸与及び敷物の貸与に関する情報の提供並びにこれらの媒介又は取次ぎ，会議室の貸与・展示施設の貸与・集会のための施設の提供・加熱器の貸与・調理台の貸与・流し台の貸与・台所用品の貸与及び陳列棚の貸与に関する情報の提供並びにこれらの媒介又は取次ぎ，カメラの貸与及びこれに関する情報の提供並びにこれらの媒介又は取次ぎ，光学機械器具の貸与及びこれに関する情報の提供並びにこれらの媒介又は取次ぎ，漁業用機械器具の貸与及びこれに関する情報の提供並びにこれらの媒介又は取次ぎ，鉱山機械器具の貸与及びこれに関する情報の提供並びにこれらの媒介又は取次ぎ，計測器・分析機械器具・その他の測定機械器具の貸与及びこれに関する情報の提供並びにこれらの媒介又は取次ぎ，コンバイン・その他の農業用機械器具の貸与及びこれらに関する情報の提供並びにこれらの媒介又は取次ぎ，祭壇・その他の葬祭用具の貸与及びこれに関する情報の提供並びにこれらの媒介又は取次ぎ，自動販売機の貸与及びこれに関する情報の提供並びにこれらの媒介又は取次ぎ，芝刈機の貸与及びこれに関する情報の提供並びにこれらの媒介又は取次ぎ，火災報知器の貸与及びこれに関する情報の提供並びにこれらの媒介又は取次ぎ，消火器の貸与及びこれに関する情報の提供並びにこれらの媒介又は取次ぎ，タオルの貸与及びこれに関する情報の提供並びにこれらの媒介又は取次ぎ，暖冷房装置の貸与及びこれに関する情報の提供並びにこれらの媒介又は取次ぎ，超音波診断装置・その他の医療用機械器具の貸与及びこれに関する情報の提供並びにこれらの媒介又は取次ぎ，凸版印刷機の貸与及びこれら関する情報の提供並びにこれらの媒介又は取次ぎ，電子計算機（中央処理装置及び電子計算機用プログラムを記憶させた電子回路・磁気ディスク・磁気テープその他の周辺機器を含む。）の貸与及びこれに関する情報の提供並びにこれらの媒介又は取次ぎ，美容院用又は理髪店用の機械器具の貸与及びこれに関する情報の提供並びにこれらの媒介又は取次ぎ，布団の貸与及びこれに関する情報の提供並びにこれらの媒介又は取次ぎ，理化学機械器具の貸与及びこれに関する情報の提供並びにこれらの媒介又は取次ぎ，ルームクーラーの貸与及びこれに関する情報の提供並びにこれらの媒介又は取次ぎ，環境に関する試験・検査又は測定分析及びこれらに関する情報の提供並びにこれらの媒介又は取次ぎ，金属材料に関する試験・検査又は測定分析及びこれらに関する情報の提供並びにこれらの媒介又は取次ぎ，半導体プロセス技術に関するコンサルティング及びこれに関する情報の提供並びにこれらの媒介又は取次ぎ，休憩施設の提供・保養所における宿泊施設の提供・オートキャンプ場の提供に関する情報の提供並びにこれらの媒介又は取次ぎ，毛髪の育毛・増毛・診断及びこれらに関する情報の提供並びにこれらの媒介又は取次ぎ，痩身美容及びこれに関する情報の提供並びにこれらの媒介又は取次ぎ，かつらの装着・それに伴う調髪及びこれらに関する情報の提供並びにこれらの媒介又は取次ぎ，ファッション情報の提供，新聞記事情報・雑誌記事情報の提供，特許技術情報その他各種技術情報の提供，通信回路を利用した新聞記事に関する情報の提供，測定機械器具の性能・操作方法等に関する紹介及び説明並びにこれらの媒介又は取次ぎ，化学機械器具・測定機械器具・医療機械器具の研究開発及びこれらに関する情報の提供並びにこれらの媒介又は取次ぎ，分析・測定及びその関連分野における技術開発・研究開発の調査及びそれに基づいたコンサルティング，水質分析・大気分析及びこれらに関する情報の提供並びにこれらの媒介又は取次ぎ，自動車の車検申請手続の代理及びこれに関する情報の提供並びにこれらの媒介又は取次ぎ，社会保険に関する手続の代理及びこれに関する情報の提供並びにこれらの媒介又は取次ぎ，雑踏の警備及びこれに関する情報の提供並びにこれらの媒介又は取次ぎ，総合保安システムを利用した火災警備・ガス漏れ警備・防犯警備及びこれらに関する情報の提供並びにこれらの媒介又は取次ぎ，印相鑑定・運勢診断・運命鑑定・性格判断・人生相談・姓名判断及びこれらに関する情報の提供並びにこれらの媒介又は取次ぎ，健康管理・健康相談及びこれらに関する情報の提供並びにこれらの媒介又は取次ぎ，愛玩動物の美容・実験動物飼育管理・動物用納骨堂の提供及びこれらに関する情報の提供並びにこれらの媒介又は取次ぎ，家事の代行及びこれに関する情報の提供，動力機械器具の貸与及びこれに関する情報の提供並びにこれらの媒介又は取次ぎ，風水力機械器具の貸与及びこれに関する情報の提供並びにこれらの媒介又は取次ぎ，冷凍機械器具（業務用）の貸与及びこれに関する情報の提供並びにこれらの媒介又は取次ぎ，業務用食器消毒器の貸与・業務用食器洗浄器の貸与・業務用調理機械器具の貸与及びこれらに関する情報の提供並びにこれらの媒介又は取次ぎ，ガソリンステーション用装置の貸与（自動車の修理又は整備業のものを除く）及びこれに関する情報の提供並びにこれらの媒介又は取次ぎ，身飾品の貸与・装身具の貸与・宝玉類の貸与及びこれらに関する情報の提供並びにこれらの媒介又は取次ぎ，製図用具の貸与及びこれに関する情報の提供並びにこれらの媒介又は取次ぎ，かばんその他の袋物の貸与（旅行用のものを除く）及びこれに関する情報の提供並びにこれらの媒介又は取次ぎ，靴の貸与・下駄・草履類の貸与・傘の貸与・男子用便器のセンサー感知による自動水栓洗浄機の貸与・貯蔵槽の貸与・動物の貸与・動物の剥製の貸与・変圧機の貸与・目覚まし時計の貸与・野立傘の貸与・介護用機械器具（車椅子を除く。）の貸与及びこれらに関する情報の提供並びにこれらの媒介又は取次ぎ，雑誌・書籍・操作マニュアル・その他の印刷物（広告用印刷物を除く）の企画・編集・作成及びこれらに関する情報の提供並びにこれらの媒介又は取次ぎ，家具・什器・備品の種類・配置・占有面積・使用部門等オフィス空間の実態調査と設計・助言及びこれらに関する情報の提供並びにこれらの媒介又は取次ぎ，技術文献の企画・編集及びこれらに関する情報の提供並びにこれらの媒介又は取次ぎ，母子家庭または父子家庭における子供の擁護及びこれに関する情報の提供，給茶器の貸与及びこれに関する情報の提供並びにこれらの媒介又は取次ぎ，ガス漏れ感知器の貸与・火災報知器の貸与及びこれらに関する情報の提供並びにこれらの媒介又は取次ぎ，商品の盗難防止器具の貸与及びこれらに関する情報の提供並びにこれらの媒介」
　
２　原査定の拒絶理由
　原査定は、「本願の指定役務中には、弁護士、弁理士及び司法書士でなく、かつ、その資格を得ることができない法人である出願人が、業として行うことが禁止されている役務『工業所有権に関する手続の代理又は鑑定その他の事務，訴訟事件その他に関する法律事務，登記又は供託に関する手続の代理』を含むものであるから、本願は、商標法第３条第１項柱書の要件を具備しない。また、本願の指定商品及び指定役務中には、商品・役務が不明確でその内容・範囲が確定できないことから、政令で定める商品及び役務の区分に従って商品及び役務を指定したものと認めることもできない。したがって、本願は、商標法第６条第１項及び同第２項に該当する。」旨認定、判断し、本願を拒絶したものである。
　
３　当審の判断
　本願は、その指定商品及び指定役務について前記１のとおり、商標法第３条第１項柱書の要件を具備しないとされた役務は全て削除され、また、商品・役務が不明確でその内容・範囲が確定できないとされた指定商品及び指定役務は、削除若しくは補正されたことにより、その内容について明確なものとなった。
　したがって、本願が商標法第３条第１項柱書の要件並びに同法第６条第１項及び同第２項の要件を具備しないものとして、本願を拒絶した原査定の拒絶の理由は解消した。
　その他、本願について拒絶の理由を発見しない。
　よって、結論のとおり審決する。